(57)【要約】【課題】  画像形成装置の定着装置などに補助電源としてキャパシタを備える加熱装置を用いるが、このキャパシタ利用の効率化を図る。【解決手段】  加熱部２に主発熱体２ａと補助発熱体２ｂを設け、主発熱体２ａには主電源装置３から、補助発熱体２ｂにはキャパシタＣを用いた補助電源装置４から電力を供給する。キャパシタＣから補助発熱体２ｂへの電力供給を行い、定着ローラ４０の温度の立ち上がりを早める。キャパシタＣの残電力が不足すると、コピー動作中でもキャパシタＣへの充電を行ってしまうことがあり得るが、主電源装置３を接続した商用電源が供給可能な電力が不足する時は、スイッチ７の充電側への動作を行わせないようにして、キャパシタＣの充電を禁止し、使用する電力が定格最大電力を超えないようにする。【選択図】        図３
2005221740.tif 000002
【特許請求の範囲】
【請求項１】
商用電源により充電される蓄電器と、該商用電源及び前記蓄電器から電力供給される加熱部と、該加熱部により加熱される被加熱体の温度が設定温度になるように前記加熱部による加熱量を制御するとともに前記蓄電器のエネルギに基づいて前記商用電源による前記蓄電器への充電量を制御する制御部と備える加熱装置において、
前記制御部は、前記商用電源が供給可能な電力が、前記被加熱体の温度を前記設定温度に維持するために必要な電力以下の場合に、前記商用電源から前記蓄電器への電力供給を禁止することを特徴とする加熱装置。
【請求項２】
請求項１の加熱装置において、前記蓄電器の蓄電エネルギを検知する蓄電検知部を備え、前記制御部は、前記商用電源が供給可能な電力が、前記被加熱体の温度を前記設定温度に維持するために必要な電力以上でかつ前記蓄電検知部による検知エネルギが設定量以下の場合には、前記商用電源から前記蓄電装置へ電力供給させることを特徴とする加熱装置。
【請求項３】
請求項２の加熱装置において、前記制御部は、前記商用電源が供給可能な電力が、前記被加熱体の温度を前記設定温度に維持するために必要な電力未満の場合に、前記蓄電検知部による検知エネルギが設定量以下でも前記商用電源から前記蓄電装置への電力供給を禁止することを特徴とする加熱装置。
【請求項４】
商用電源により充電される蓄電器と、該商用電源及び前記蓄電器から電力供給される加熱部と、該加熱部により加熱される被加熱体の温度が設定温度になるように前記加熱部による加熱量を制御するとともに前記蓄電器のエネルギに基づいて前記商用電源による前記蓄電器への充電量を制御する制御部と備える加熱装置において、
前記制御部は、前記商用電源が供給可能な電力が、前記被加熱体の温度を前記設定温度に維持するために必要な電力以上の場合、前記蓄電装置から前記加熱部への電力供給を禁止することを特徴とする加熱装置。
【請求項５】
請求項４の加熱装置において、前記加熱部により加熱される被加熱体の温度を検知する温度検知手段を備え、前記制御部は、前記商用電源が供給可能な電力が、前記被加熱体の温度を前記設定温度に維持するために必要な電力以上でかつ前記温度検知手段による検知温度が前記設定温度以下の場合には、前記商用電源から前記加熱部へは電力供給させるが、前記蓄電装置から前記加熱部へは電力供給させないことを特徴とする加熱装置。
【請求項６】
請求項５の加熱装置において、前記制御部は、前記商用電源が供給可能な電力が、前記被加熱体の温度を前記設定温度に維持するために必要な電力未満の場合において、前記温度検知手段による検知温度が前記設定温度以下の場合には、前記蓄電器から前記加熱部へ電力供給させることを特徴とする加熱装置。
【請求項７】
請求項１ないし６のいずれかの加熱装置を備え、記録媒体上に形成された未定着画像を加熱により定着させる定着手段を備えることを特徴とする定着装置。
【請求項８】
請求項１ないし６のいずれかの加熱装置または請求項７の定着装置を備えることを特徴とする画像形成装置。
【発明の詳細な説明】
【技術分野】
【０００１】
本発明は、キャパシタ等の蓄電器を有する定着装置を用いた電子写真方式の複写機、プリンタ、ファクシミリ等の画像形成装置に関し、特にこれら装置による蓄電器利用の効率化を図ったものに関する。
【背景技術】
【０００２】
複写機等の画像形成装置には、普通紙やＯＨＰ等の記録媒体上に画像を形成するが、画像形成の高速性や画像品質、コスト等から電子写真方式が多く採用されている。電子写真方式は、記録媒体上にトナー像を形成し、形成したトナー像を熱と圧力で記録媒体に定着する方法である。定着方式としては、安全性等の面からヒートローラ方式が現在最も多く採用されている。ヒートローラ方式は、ハロゲンヒータ等の発熱部材により加熱する加熱ローラと、加熱ローラに対向配置する加圧ローラを圧接してニップ部と称される相互圧接部を形成し、このニップ部にトナー像が転写された記録媒体を通して加熱、加圧するもので、これによりトナーを記録媒体に定着させる。
【０００３】
近年、環境問題が重要となり、複写機やプリンタ等の画像形成装置も省エネルギ化が進んでいる。この画像形成装置の省エネルギを考えるに当たって無視できないのは、トナーを記録媒体に定着する定着装置の省電力である。そこで、画像形成装置の待機時における定着装置の消費電力の低減としては、待機時には加熱ローラの温度を定着温度よりやや低い一定の温度に保っておき、使用時に直ちに使用可能温度まで立ち上げ、使用者が定着ローラの昇温を待つことがないようにする方式が多く採用されている。この方式の場合、定着装置を使用していないときにもある程度の電力を供給しておかなければならず、それによって余分なエネルギを消費するようになっている。この待機時の消費エネルギは、画像形成装置を構成する機器の消費エネルギの約７割から８割に該当すると言われている。
【０００４】
したがって、待機時の消費エネルギを削減し、より省電力化を図ることが望まれるようになってきており、未使用時には電力供給をゼロにすることが求められている。しかしながら、待機時にエネルギ消費をゼロにすると、定着装置の加熱ローラは鉄やアルミ等の金属ローラを主に使用していて熱容量が大きいため、約１８０℃前後の使用可能温度にまで昇温するには数分から十数分という長い加熱時間が必要になる。このような待ち時間は、使用者の使い勝手を悪化させてしまうので、消費電力が極力小さく、その一方で待機状態からの立ち上がりが速い加熱方式が望まれている。
【０００５】
加熱ローラの昇温時間を短くするためには、単位時間の投入エネルギ、すなわち定格電力を大きくすると良いことは明らかであり、実際に、プリント速度が速い高速機と称される画像形成装置には、電源電圧を２００Ｖにして対応しているものも多い。しかしながら、日本国内の一般的なオフィスでは、商用電源は１００Ｖ、１５Ａであり、２００Ｖに対応させるには設置場所の電源関連設備に特別な工事を施す必要があり、２００Ｖへの対応化はあまり一般的な解決法とはいえない。
【０００６】
すなわち、１００Ｖ、１５Ａの商用電源を使用するかぎり、加熱ローラを短時間で昇温させようとしても、最大投入エネルギが電源により決まってしまうので、これを改善するために、定着装置が待機状態になったときに一定レベルだけ低い電圧を加熱ローラに供給して定着装置の温度が下がることを遅らせたり（例えば特許文献１参照）、定着装置の待機時に補助電源である二次電池を充電し、定着装置を立ち上げたときに主電源装置と二次電池や一次電池から電力を供給して立ち上がり時間を短縮するようにしたり（例えば特許文献２参照）している。
【０００７】
しかし、特許文献１に示された技術は、待機時においても定着装置に一定レベルだけ低い電圧を供給しているため、十分な省電力とはいえないものとなっている。また、立ち上げ時の最大供給電力を主電源装置から供給する電力より高めることを主にしたものではない。一方、特許文献２に示された定着装置は、立ち上げ時に主電源装置と二次電池や一次電池から電力を供給しており、二次電源としては一般に鉛蓄電池、ニカド電池、ニッケル水素電池を使用している。このような二次電池は、充放電を繰り返すと容量が劣化して低下していき、大電流で放電するほど寿命が短いという性質を持つ。
【０００８】
またメモリ効果による容量低下という現象もある。一般的に大電流で長寿命とされているものでも、充放電の繰り返し回数は約５００〜１０００回程度であり、一日に２０回の充放電を繰り返すと一ヶ月程度で電池の寿命が来てしまうことになる。したがって電池の交換頻度が多くなり、そのぶん手間がかかり、交換する電池代等のランニングコストもかさむ。さらに鉛蓄電池では電解液に液体の硫酸を使用する等、オフィス用機器としては好ましくない点もある。
【０００９】
また、大電力の供給を開始したり停止したりする際の急激な電流変化や突入電力等により加熱ローラが内蔵している加熱用回路への負荷が増大するとともに、周辺回路にも投入電流が流れてノイズが発生するという問題もある。このため、大容量の補助電源からの電力供給を頻繁にオン、オフさせることは好ましくない。また、大容量の電力を一度に供給すると供給過剰になり、加熱用回路の温度が上昇しすぎる可能性もある。
【００１０】
このような点を改善し、省電力効果を高めるとともに、大電力を供給する際の突入電流や急激な電流変化によるノイズを低減させ、かつ立ち上がり時間を短縮し、温度が上がりすぎることを防止することができる定着装置として、補助電源装置に充放電可能なキャパシタを使用し、充電器は主電源装置から供給される電力で補助電源装置のキャパシタを充電し、切替装置は補助電源装置の充電と補助電源装置からの補助発熱体に対する電力供給を切り替え、補助電源装置から補助発熱体に供給する電力量を調整する装置が提案されている（例えば特許文献３参照）。キャパシタの基本機能としては、キャパシタから供給する電力によって補助ヒータを発熱させ、この熱を用いて加熱ローラが所定温度まで立ち上る時間を短縮すること、及び通紙時の定着温度の低下を防止することである。
【００１１】
【特許文献１】特開平１０−１０９１３号公報
【特許文献２】特開平１０−２８２８２１号公報
【特許文献３】特開２００２−１８４５５４号公報
【発明の開示】
【発明が解決しようとする課題】
【００１２】
ところで、キャパシタなどの蓄電器の採用は、定着不良の防止が最優先であるため、複写動作中などのように電力が不足している際でもキャパシタに充電電力が供給されてしまい、画像形成装置自体や画像形成装置へ商用電源を供給するために電源線を接続したコンセントの定格最大電力を越えてしまう可能性があった。このような場合、通常のオフィス環境では電源ブレーカが遮断され、複写機等だけでなく、パーソナルコンピュータ等のオフィス機器の電源遮断とそれに伴う不都合も引き起こす。
【００１３】
また、環境温度が高いなどの状況下で、定着ローラの温度が高く、商用電源からの給電だけでも電力が十分充足している状態であるにもかかわらず、キャパシタから定着装置へ給電してしまい、蓄電エネルギをムダに消費してしまうこともあった。
【００１４】
本発明は、キャパシタ利用の効率化を図ることによって上記従来の問題点を解決できる、加熱装置、これを用いた定着装置及びこの定着装置を用いた画像形成装置を提供することを目的とする。
【課題を解決するための手段】
【００１５】
本発明に係る加熱装置は、商用電源により充電される蓄電器と、該商用電源及び前記蓄電器から電力供給される加熱部と、該加熱部により加熱される被加熱体の温度が設定温度になるように前記加熱部による加熱量を制御するとともに前記蓄電器のエネルギに基づいて前記商用電源による前記蓄電器への充電量を制御する制御部と備える加熱装置において、前記制御部は、前記商用電源が供給可能な電力が、前記被加熱体の温度を前記設定温度に維持するために必要な電力以下の場合に、前記商用電源から前記蓄電器への電力供給を禁止することを特徴とする。
【００１６】
請求項２に係るものは、請求項１の加熱装置において、前記蓄電器の蓄電エネルギを検知する蓄電検知部を備え、前記制御部は、前記商用電源が供給可能な電力が、前記被加熱体の温度を前記設定温度に維持するために必要な電力以上でかつ前記蓄電検知部による検知エネルギが設定量以下の場合には、前記商用電源から前記蓄電装置へ電力供給させることを特徴とする。
【００１７】
請求項３に係るものは、請求項２の加熱装置において、前記制御部は、前記商用電源が供給可能な電力が、前記被加熱体の温度を前記設定温度に維持するために必要な電力未満の場合に、前記蓄電検知部による検知エネルギが設定量以下でも前記商用電源から前記蓄電装置への電力供給を禁止することを特徴とする。
【００１８】
請求項４に係るものは、商用電源により充電される蓄電器と、該商用電源及び前記蓄電器から電力供給される加熱部と、該加熱部により加熱される被加熱体の温度が設定温度になるように前記加熱部による加熱量を制御するとともに前記蓄電器のエネルギに基づいて前記商用電源による前記蓄電器への充電量を制御する制御部と備える加熱装置において、前記制御部は、前記商用電源が供給可能な電力が、前記被加熱体の温度を前記設定温度に維持するために必要な電力以上の場合、前記蓄電装置から前記加熱部への電力供給を禁止することを特徴とする。
【００１９】
請求項５に係るものは、請求項４の加熱装置において、前記加熱部により加熱される被加熱体の温度を検知する温度検知手段を備え、前記制御部は、前記商用電源が供給可能な電力が、前記被加熱体の温度を前記設定温度に維持するために必要な電力以上でかつ前記温度検知手段による検知温度が前記設定温度以下の場合には、前記商用電源から前記加熱部へは電力供給させるが、前記蓄電装置から前記加熱部へは電力供給させないことを特徴とする。
【００２０】
請求項６に係るものは、請求項５の加熱装置において、前記制御部は、前記商用電源が供給可能な電力が、前記被加熱体の温度を前記設定温度に維持するために必要な電力未満の場合において、前記温度検知手段による検知温度が前記設定温度以下の場合には、前記蓄電器から前記加熱部へ電力供給させることを特徴とする。
【００２１】
請求項７に係る定着装置は、請求項１ないし６のいずれかの加熱装置を備え、記録媒体上に形成された未定着画像を加熱により定着させる定着手段を備えることを特徴とする。
【００２２】
請求項８に係る画像形成装置は、請求項１ないし６のいずれかの加熱装置または請求項７の定着装置を備えることを特徴とする。
【発明の効果】
【００２３】
本発明は、キャパシタ等の蓄電器の設定、制御を改良して上記従来の問題点を解決し、その充電の効率化、最適化を図ることができる。
【発明を実施するための最良の形態】
【００２４】
以下本発明を実施するための最良の形態を、図に示す実施例を参照して説明する。
【実施例】
【００２５】
以下本発明の実施の形態を図面を参照して説明する。
図１は、本発明に係る電子写真方式の複写機やプリンタ装置等の画像形成装置を概念的に示す断面図である。本実施形態の画像形成装置は主に、原稿を読み取る読み取りユニット１１、画像を形成する画像形成部１２、自動原稿搬送装置（ＡＤＦ）１３、ＡＤＦ１３から送り出される原稿をスタックする原稿排紙トレイ１４、給紙カセット１５ないし１８を備える給紙部１９、記録用紙をスタックする排紙部（排紙トレイ２０）により構成してある。
【００２６】
そして、ＡＤＦ１３の原稿台２１上に原稿Ｄをセットして図示せぬ操作部での操作、例えばプリントキーの押下操作をすると、最上位の原稿Ｄがピックアップローラ２２の回転により矢印Ｂ１方向へ送り出され、原稿搬送ベルト２３の回転により、画像読み取りユニット１１に固定されたコンタクトガラス２４上へ給送され、そこで停止する。コンタクトガラス２４上に載置された原稿Ｄの画像は、画像形成部１２とコンタクトガラス２４の間に位置する読み取り装置２５によって読み取る。読み取り装置２５は、コンタクトガラス２４上の原稿Ｄを照明する光源２６、原稿画像を結像する光学系２７、原稿画像を結像させるＣＣＤ等からなる光電変換素子２８等を有している。画像読み取り終了後、原稿Ｄを搬送ベルト２３の回転により矢印Ｂ２方向へ搬送して排紙トレイ１４上へ排出する。このように、原稿Ｄを１枚ずつコンタクトガラス１４上へ給送して原稿画像を画像読み取りユニット１によって読み取る。
【００２７】
一方、画像形成部１２の内部には、像担持体である感光体３０が配置してある。感光体３０は、図において時計方向に回転駆動し、帯電装置３１によって表面を所定の電位に帯電させる。また、書き込みユニット３２からは、読み取り装置２５によって読み取った画像情報に応じて光変調したレーザ光Ｌを照射し、帯電させた感光体３０の表面をこのレーザ光Ｌで露光し、これによって感光体３０の表面に静電潜像を形成する。この静電潜像は、現像装置３３を通るとき、対向する転写装置３４によって感光体３０と転写装置３４の間に給送された記録媒体Ｐに転写する。トナー像転写後の感光体３０の表面は、クリーニング装置３５によって清掃する。
【００２８】
画像形成部１２の下部に配置した複数の給紙カセット１５ないし１８には、紙等の記録媒体Ｐを収容してあり、いずれかの給紙カセット１５ないし１８から記録媒体Ｐを矢印Ｂ３方向へ送り出し、その記録媒体Ｐの表面に、上述のように感光体３０の表面に形成したトナー像を転写する。次に、記録媒体Ｐを矢印Ｂ４で示すように画像形成部１２内の定着装置３６を通し、熱と圧力の作用によって記録媒体Ｐの表面に転写されたトナー像を定着させる。定着装置３６を通った記録媒体Ｐを排出ローラ対３７によって搬送し、矢印Ｂ５で示すように排紙トレイ２０へ排出し、スタックする。
【００２９】
図２は、記録媒体Ｐに転写されたトナー像を加熱、加圧して記録媒体に固着させる定着装置３６の一例を示す断面図、図３は定着装置３６が備える本発明に係る加熱装置の一実施形態の構成を示す回路図である。
【００３０】
図示の定着装置３６は、定着ローラ４０と加圧ローラ４１を有し、例えば通紙中の定着ローラ温度低下の防止用途として使う７５ｃｐｍ機（ｃｐｍ：コピー速度））では定着ローラ４０には外径φ４０で肉厚ｔ０．７ｍｍのアルミ製のローラを用いている。これは、３０秒以内に定着可能な状態に昇温できる肉厚であるとともに、定着に必要なニップ幅Ｎを形成するのに必要な荷重でも破壊されないためである。７５ｃｐｍ機では、従来補助電源を使わない場合にはｔ５．０〜１０ｍｍ程度の厚肉ローラを用いていたが、薄肉ローラと補助電源を組み合わせることによって大幅な立上時間の短縮が可能となっている。また、定着ローラの最外層にはＰＦＡあるいはＰＴＦＥなどの離型層が形成されていることが望ましい。定着ローラ４０には、例えばハロゲンヒータからなる主発熱体２ａと補助発熱体２ｂからなる加熱部２を内蔵し、定着ローラ４０と加圧ローラ４１とで、トナーＴが載った記録媒体Ｐを通過させて加圧、加熱するニップ部Ｎを形成している。
【００３１】
また本実施形態の加熱装置１は、加熱部２、主電源装置３、補助電源装置４、メインスイッチ５、充電器６、切替装置７及び制御手段８を有する。なお図３では主発熱体２ａと補助発熱体２ｂからなる加熱部２を定着ローラ４０の外側に位置させて描いてあるが、これは図示の都合によるものであり、両発熱体２ａ、２ｂは定着ローラ４０内に設ける。
【００３２】
加熱部２は、主電源装置３から供給される電力により発熱する主発熱体２ａと、補助電源装置４から供給される電力により発熱する補助発熱体２ｂを有し、被加熱体である定着ローラ４０を加熱するようになっている。主電源装置３は、詳細な図示は省略するが、加熱装置１を設置した画像形成装置内において商用電源から電源供給を受ける。主電源装置３は、例えばコンセント等から供給される電力を、加熱部２に応じた電圧に調整する等の機能を有するが、周知であるので詳細な図示及び説明は省略する。
【００３３】
補助電源装置４は、充放電可能なキャパシタＣを有する。キャパシタＣとしては、例えば定格２．５Ｖで４００〜１０００Ｆ程度の静電容量を備えるセルを１５〜４０個直列に接続し、所定の定格電圧と容量を得るモジュール構成が望ましい。さらに連続通紙時の定着温度低下防止用途には、例えば定格３００〜６００ｗ程度のヒータを用いるために５００〜７００Ｆセルを１８〜２２個直列に接続しているものが適する。これは、１〜２分程度の給電には十分な容量を備えるとともに、制御系の暴走で高温状態から全蓄電電力を給電した際にも電圧の低下とともに電力が低減し、発火の危険性を低減できる程度の容量となるためである。また、電圧が５０Ｖ程度と感電の危険がないことも適する理由である。また、立ち上げ時に電力を供給する用途には、例えば定格８００〜１０００ｗのヒータを補助電源装置に並列に接続して合計で１６００〜２０００ｗ程度の電力を供給するため、５００〜７００Ｆセルを３６〜４４個直列に接続しているものが適する。これは、１０秒程度の給電には十分な電力を供給する容量と電圧を備えるととともに、連続通紙時に移行した際にも片方のヒータだけを使用して定着温度の低下を防止できる容量を有するためである。実稼働状態では、定格電圧よりも低い電圧を充電目標電圧としているが、これは電圧回路のバラツキやキャパシタセルの耐久性などを考慮して信頼性を向上できるためである。また、１００Ｆ程度のより低い静電容量のセルを並列に接続したモジュール構成としてもよいが、セル一つあたりに必用な電子回路を減らせると共にセルに不具合が発生した際に検知しやすいため全セルを直列に接続することが望ましい。上記構成をとるのは、電気二重層キャパシタ等のキャパシタは、二次電池とは異なり、化学反応を伴わないために優れた特徴を有するためである。
【００３４】
既に述べたように、二次電池として一般的なニッケル−カドミウム電池を用いた補助電源装置では、急速充電を行っても数十分から数時間という長い時間を要するが、キャパシタを用いた補助電源装置４では数分程度の急速な充電が可能であり、同一時間内で待機状態と加熱状態を繰り返した場合、キャパシタを用いた補助電源装置４を使用することにより、加熱立ち上げ時に確実に補助電源装置４から電力を供給することができ、加熱部２を短時間で所定の温度に立ち上げることができる。また、ニッケル−カドミウム電池は充放電の許容繰り返し回数が５００回から１０００回程度であるため、加熱用の補助電源としては寿命が短く、交換の手間やコストが問題となるが、電気二重層キャパシタを用いた補助電源装置４は充放電の許容繰り返し回数が数１００万回以上であるとともに、充放電の繰り返しによる劣化も少なく、さらに、鉛蓄電池のように液交換や補充なども必要がないため、メンテナンスをほとんど必要とせず、長期間安定して使用することができる。
【００３５】
なお電気二重層キャパシタは、誘電体がなく、個体電極と溶液界面にできるイオンまたは溶媒分子の電荷が集中した電気二重層のイオン吸着層の吸、脱着反応（充、放電）を利用するもので、繰り返し充放電に強くて寿命が長く、メンテナンスの必要がなく、環境にやさしく、しかも他の種のバッテリに比べて充電時間が短く、充放電効率が高く、しかも電圧の検知により残電力がわかりやすい等の優れた特徴を有し、最近では静電容量が数万Ｆ、エネルギ密度が数十ｗｈ／ｋｇという大容量のものも開発され、一層の大容量化が図られつつある。
【００３６】
メインスイッチ５は、主電源装置３から主発熱体２ａに供給する電力をオン／オフするものであり、充電器６は、主電源装置３から供給される電力で補助電源装置４のキャパシタＣを充電する。また切替装置７は、補助電源装置４の充電と補助電源装置４からの補助発熱体２ｂに対する電力供給を切りえ替るものである。
【００３７】
制御手段８は、スイッチ９とＣＰＵ１０を有し、予め設定された後述する条件で補助電源装置４から補助発熱体２ｂに供給する電力をオン／オフ等させる制御を行う。ただし、図示の制御手段８の構成は、加熱部２の制御を行う部分だけを示す単なる一例であって、画像形成装置全体の制御を行う装置で兼用する等の種々の構成を採用できる。また補助電源装置４に対する制御のための接続形態等も図示の例に限定されない。例えば切替装置７を切り替えてオン／オフ等の制御を行う構成等々種々の形態を採用できる。
【００３８】
このような加熱装置１の基本的な動作を説明する。まず待機時には、切替装置７を切り替えて補助電源装置４に充電器６を接続し、補助電源装置４のキャパシタＣを充電しておく。この状態で加熱装置１で加熱部２を加熱するときは、メインスイッチ５をオンにして主電源装置３から主発熱体２ａに電力を供給し、同時に切替装置７を切り替えて補助電源装置４から補助発熱体２ｂに電力を供給し、加熱部２に大容量の電力を供給する。このように加熱部２の加熱を開始するときに、主電源装置３と補助電源装置４の両方から大容量の電力を加熱部２に供給するから、加熱部２を短時間で所定の温度に立ち上げることができる。
【００３９】
また、補助電源装置４で加熱部２の補助発熱体２ｂに電力を供給して加熱を開始してから予め定めた所定の時間が経過したときに、制御手段８は補助電源装置４から補助発熱体２ｂに供給している電力を遮断して加熱部２の過熱を防止して所定の温度に維持する。補助電源装置４から補助発熱体２ｂに供給する電力は、供給を開始してから時間が経過するにつれて低減する。この供給電力の低減量に応じて、補助電源装置４から補助発熱体２ｂに供給している電力を遮断する時間を定め、供給電力がある程度低減したときに補助電源装置４から補助発熱体２ｂに供給している電力を遮断すると、大電力を供給している状態で遮断するときに発生する周囲回路の各部品の劣化や電磁ノイズを防止することができる。
【００４０】
このような構成の定着装置３６に送られたトナー像Ｔが転写された記録媒体Ｐは、定着ローラ４０と加圧ローラ４１の間に搬送され、一定温度に加熱された定着ローラ４０によりトナーＴを加熱溶融し、記録媒体Ｐにトナー像として定着させる。そのため定着ローラ４０の加熱部２が有する主発熱体２ａと補助発熱体２ｂには主電源装置３と補助電源装置４から電力を供給し、それにより定着ローラ４０の温度を上昇させ、かつ補助電源装置４から供給する電力をオン／オフ制御することにより、定着ローラ４０の温度が高くなりすぎることを防止して、定着温度を一定温度あるいは所望の温度に保ち、または所要の温度変化を示すように制御することにより、トナーＴを安定して加熱溶融させ、良質なトナー像Ｔを記録媒体Ｐに定着させる。また、定着ローラ４０に内蔵した加熱部２の主発熱体２ａと補助発熱体２ｂに主電源装置３と補助電源装置４から電力を供給して定着ローラ４０の温度を上昇させるので、定着ローラ４０の表面温度を所定の定着温度まで迅速に上昇させることができるようになっている。
【００４１】
図４は上記のように構成した画像形成装置の動作時における定着ローラ４０の温度、加熱部２への供給電力、主電源装置３の放出電力、補助電源装置４の残電力の変化を示す図である。定着ローラ４０の温度は、朝一番での電源投入前で周囲環境温度まで降下した状態から、加熱部２への電力供給開始（時点ａ）に伴う立ち上げ時の昇温（時点ａ、ｂ間）、加熱動作（時点ｂ、ｃ間）、待機状態への復帰に伴う温度降下（時点ｃ、ｄ間）、待機状態（時点ｄ、ｆ間）、次の加熱動作に伴う立ち上げ時の昇温（時点ｆ、ｇ間）、加熱動作（時点ｇ、ｈ間）、待機状態への復帰に伴う温度降下（時点ｈ以降）と変化する。
【００４２】
このような動作の際の加熱部２への供給電力は、朝一番での電源投入前の電力非供給状態（時点ａまで）から、立ち上げ時及びそれに続く加熱動作のための主電源装置３による電力供給（時点ａ、ｃ間）、朝一番の加熱動作終了から次の加熱動作までの待機状態（時点ｄ、ｆ間）、次の加熱動作のための立ち上げ時における主電源装置３と補助電源装置４による電力供給（時点ｆ、ｇ間）、加熱動作時の主電源装置３による電力供給（時点ｇ、ｈ間）、待機状態における電力非供給状態（時点ｈ以降）と変化する。主電源装置３と補助電源装置４による電力供給（時点ｆ、ｇ間）は、立ち上げ時間の短縮のため、もしくは連続通紙中の電力供給が不足して定着ローラ４０の温度が低下するのを防ぐために補助電源装置４のキャパシタＣを使用して給電を行い、通紙中に定着ローラ４０の温度が回復するまでのｃｐｍダウンや停止などの生産性低下を防いでいる。
【００４３】
これに対応して、主電源装置３による電力供給は、待機時における非供給状態から、画像形成の開始とともに上限値である商用電源の最大電力（例えば１５００Ｗ）まで上昇し（時点ａ、ｃ間）、加熱終了後にキャパシタＣを充電するための最大電力より低い電力での充電電力を供給し（時点ｃ、ｅ間）、その後待機状態における非供給状態（時点ｅ、ｆ間）に戻り、さらに、次の加熱動作のための立ち上げ時における電力供給（時点ｆ、ｈ間）、充電電力供給（時点ｈ以降）と変化する。
【００４４】
また補助電源装置４のキャパシタＣの出力電圧は、朝一番での電源投入前及びその後の充電までの残存量無しの状態（時点ｃまで）から、主電源装置３による電力供給による充電（時点ｄ、ｅ間）、待機時における非充電状態（時点ｅ、ｆ間）、加熱動作を行うための立ち上げ時における電力供給とそれに伴う電圧降下（時点ｆ、ｇ間）、放電終了後、充電開始までの残電力無しの状態（時点ｇ、ｈ間）、そして再度の充電開始（時点ｈ）と変化する。
【００４５】
キャパシタＣの充電は、一般的には画像形成時に電力的に余裕があることを利用して行っている。そのため、キャパシタＣの出力電圧は、待機時に最高値を示し、立ち上げ時に定着ローラ４０の加熱のために電力を供給することによって下がり、画像形成時に充電を受けることによって待機時の状態へと復帰する。
【００４６】
図５は、上記のように構成した画像形成装置の通紙動作時における定着ローラ４０の温度、主電源装置３の放出電力、加熱部２への供給電力、補助電源装置４の残電力の変化を示す図である。
【００４７】
定着ローラ４０の温度は、待機時にあまり電力を消費していない状態から、コピー指令による立ち上げ動作の開始（時点ａ）とともに上昇し、通紙動作開始（時点ｂ）によって記録媒体Ｐへ熱移動が行われることにより温度が低下し（加熱動作１：時点ｂ、ｃ間）、その後原稿読み取りが終了し（時点ｃ）、コピー動作終了（時点ｄ）まで若干温度が低下してゆき（加熱動作２：時点ｃ、ｄ間）、待機状態（時点ｄ、ｅ間）まで温度が低下してゆくという変化を繰り返す。
【００４８】
この動作の際の加熱部２への供給電力は、主電源装置３による供給電力と補助電源装置４による供給電力との和になる。すなわち、待機時における電力非供給状態（時点ａまで）から、定着ローラ４０の温度が加熱良好温度範囲に入るまでの立ち上げ時は主電源装置３による電力供給（時点ａ、ｂ間）、加熱動作１時の主電源装置３と補助電源装置４による電力供給（時点ｂ、ｃ間）、原稿読み取り終了後の加熱動作２時の主電源装置３による電力供給（時点ｃ、ｄ間）、待機時における非供給状態への復帰（時点ｄ以降）という変化を繰り返す。加熱動作１における主電源装置３と補助電源装置４による電力供給（時点ｂ、ｃ間）は、連続通紙中の電力供給が不足して定着ローラ４０の温度が低下するのを防ぐために補助電源装置４のキャパシタＣを使用して給電を行い、定着ローラ４０の温度を加熱良好温度範囲内に保ち、連続通紙中に定着ローラ４０の温度が回復するまでのｃｐｍダウンや停止などの生産性低下を防いでいる。
【００４９】
これに対応して、主電源装置３による電力供給は、待機時における非供給状態から、画像形成の開始とともに使用電力は上限値である最大電力（例えば１５００Ｗ）まで上昇し（時点ａ、ｂ間）、画像読み取りへの電力配分による定着装置３６の電力低下（例えば８００Ｗまで低下：時点ｂ、ｃ間）と変化し、コピー終了後はキャパシタＣを充電するための充電電力を時点ｅまで供給する。補助電源装置４のキャパシタＣの残電力量を示す出力電圧は、待機時に最高値を示し、通紙動作時の定着ローラ４０の加熱のために電力を供給することによって下がり（時点ｂ、ｃ間）、コピー終了後に充電を受ける（時点ｄ、ｅ間）ことによって上昇していき、時点ｅにおいて目標電圧に到達し、待機時の状態へと復帰する。
【００５０】
なお図６は、図５との比較例として補助電源装置４のキャパシタＣを使用しない場合の動作例を示す図である。加熱動作１においてキャパシタＣを使用した電力供給を行わないために定着ローラ４０の温度が加熱良好温度範囲外へ降下し、その後、画像読み取り終了に伴って温度が回復（時点ｃ、ｄ間）するが、通支持に電力不足が生じてしまう。
【００５１】
ところで、キャパシタＣを放電停止電圧まで放電すると、当然ながら充電を行って次の放電に備える必要があり、また長時間装置を使用しないとキャパシタＣの電圧は自然放電によって低下し、装置の立ち上がりに時間がかかってしまうため、キャパシタＣの電圧を自動的に検知して自動的に充電するという制御手法を採用するとともに、上述の図５に示す動作の制御及び補助電源装置４のキャパシタＣの充電制御は制御手段８で行うが、コピー動作中である加熱動作２の期間中にキャパシタＣの残電力が不足してしまうと、コピー動作中でもキャパシタＣへの充電を行ってしまうことがあり得る。その場合、必要な電力量が主電源装置３定格最大電力を越えてしまう可能性がある。また主電源装置３へ商用電源を供給するために電源線を接続したコンセントの定格最大電力を越えてしまう可能性も勿論生じる。そこで本実施例では、主電源装置３を接続した商用電源が供給可能な電力が不足する時は、スイッチ７の充電側への動作を行わせないようにして、キャパシタＣの充電を禁止し、使用する電力が定格最大電力を超えないようにする。
【００５２】
そのためには、商用電源が供給可能な電力を検出する公知の手段を備えるようにしてもよいが、キャパシタＣの蓄電エネルギを自動的に検知する電圧計等の蓄電検知センサを利用して、制御部８が、商用電源が供給可能な電力が定着ローラ４０の温度を設定温度に維持するために必要な電力以上であって、しかも蓄電検知センサによる検知エネルギが設定量以下の場合に、商用電源からキャパシタＣへ電力を供給させるようにすることができる。この場合、商用電源が供給可能な電力が定着ローラ４０の温度を設定温度に維持するために必要な電力未満の場合には、蓄電検知センサによる検知エネルギが設定量以下でも商用電源からキャパシタＣへの電力供給を禁止することが好ましい。なお、蓄電検知センサとしては電圧センサ等の公知の手段を用いればよいので、図示及び詳細な説明は省略する。
【００５３】
また制御手段８は、環境温度が高い等の状況下で、定着ローラ４０の温度があまり降下せず、加熱良好範囲内に止まっていて、主電源装置３を介した商用電源からの給電だけでも電力が十分足りている状態であるにもかかわらず、キャパシタＣから加熱部２へ給電してしまうことがあり得る。この場合、キャパシタＣの蓄電エネルギをムダに消費してしまうのは勿論であるので、加熱部２への供給電力が充足されている時は、スイッチ７の充電側への動作を行わせないようにして、キャパシタＣの充電を禁止し、使用する電力が定格最大電力を超えないようにする。
【００５４】
この場合、定着ローラ４０の温度を検知する温度センサなどを設けて温度を検出し、制御部８は、商用電源が供給可能な電力が定着ローラ４０の温度を設定温度に維持するために必要な電力以上でかつ温度センサによる検知温度が設定温度以下の場合には、主電源装置３から加熱部２へ電力供給させるが、キャパシタＣからは電力を供給させないという制御を行えばよい。また制御部８が、商用電源が供給可能な電力が定着ローラ４０の温度を設定温度に維持するために必要な電力未満でかつ温度センサによる検知温度が設定温度以下の場合には、キャパシタＣから電力を供給させる制御を行えばよい。
【００５５】
なお上述してきた実施例においては、種々の制御を加熱装置１が備える制御手段８により行うようにしているが、本発明はこれに限定されず、定着装置３６あるいはこれを備える画像形成装置側に制御手段を備えて、これによって制御を行っても良く、またいずれの場合についても放電電圧制御のための専用の制御手段を備えても、あるいは他の制御手段を兼用するようにしても、いずれでもよく、図示の例には限定されない。
【００５６】
またなお、以上説明してきた実施例では、二つのローラ、すなわち定着ローラ４０と加圧ローラ４１によってニップ部Ｎを形成しているが、本発明の定着装置及びこれを用いた画像形成装置は、このような構成に限定されず、ローラとベルト、ベルトとベルトによりニップ部Ｎを形成するもの等、記録媒体Ｐが被加熱体と摺接または近接して通過するタイプ等種々の構成のものが採用可能である。また、本発明が図示のタイプの画像形成装置に限定されるものではなく、例えば感光体がドラム状ではなくベルトタイプのもの、中間転写ベルトを用いるカラー画像形成装置等々の種々のタイプの装置に適用可能である。さらには、補助電源装置としてキャパシタを用いたものだけでなく、二次電池を用いたものでも前記課題がより深刻であるとともに、前記構成により解決が図れるため、キャパシタ補助電源装置に限定するものではない。
【図面の簡単な説明】
【００５７】
【図１】本発明に係る画像形成装置の実施形態を示す概念的断面図
【図２】図１の画像形成装置に用いる本発明の実施形態に係る定着装置の構成を示す概念的断面図
【図３】本発明に係る加熱装置の一実施形態の構成を示す回路図
【図４】図１の画像形成装置の動作時における定着ローラの温度、加熱部への供給電力、主電源装置の放出電力、補助電源装置の残電力の変化を示す図
【図５】図１の画像形成装置の通紙動作時における定着ローラの温度、主電源装置の放出電力、加熱部への供給電力、補助電源装置の残電力の変化を示す図
【図６】図５との比較例として補助電源装置のキャパシタを使用しない場合の動作例を示す図
【符号の説明】
【００５８】
１：加熱装置
２：加熱部
２ａ：主発熱体
２ｂ：補助発熱体
３：主電源装置
４：補助電源装置
５：メインスイッチ
６：充電器
７：切替装置
８：制御手段
９：スイッチ
１０：ＣＰＵ
１１：読み取りユニット
１２：画像形成部
１３：自動原稿搬送装置（ＡＤＦ）
１４：原稿排紙トレイ
１５、１６、１７、１８：給紙カセット
１９：給紙部
２０：排紙トレイ
２１：原稿台
２５：読み取り装置
３０：感光体
３１：帯電装置
３２：書き込みユニット
３３：現像装置
３４：転写装置
３５：クリーニング装置
３６：定着装置
３７：排出ローラ対
４０：定着ローラ
４１：加圧ローラ
Ｃ：キャパシタ
Ｄ：原稿
Ｐ：記録媒体
Ｔ：トナー
Ｎ：ニップ部
【図１】
2005221740.tif 000003
【図２】
2005221740.tif 000004
【図３】
2005221740.tif 000005
【図４】
2005221740.tif 000006
【図５】
2005221740.tif 000007
【図６】
2005221740.tif 000008